(57)【要約】【課題】構成部材を少なくすると共に、ペーパーの切断を常に容易に行うことができ、かつ、美感の向上を図ることができるようにしたペーパーホルダを提供する。【解決手段】ベース片３０と、このベース片の一端から起立する軸受片３１とからなるホルダ本体３と、軸受片３１に回動可能に取り付けられる上部軸部４１と、ペーパーロール７が着脱可能に取り付けられる下部軸部４２とを有する略Ｕ字状の軸部材４と、上部軸部４１に回動自在に枢着されると共に、ばね部材６によってペーパーロール７側に向かって弾性力が付勢されるペーパーカッタ５とを具備する。軸受片に、上部軸部を回動可能に嵌挿する軸受け部３２と、下部軸部を係脱可能に係合する係合段部３３とを設け、ペーパーカッタに、上部軸部を嵌挿する筒状部５１と、ペーパーロールの側面に当接すると共に、ペーパー７０を切断するカット部５２を設ける。【選択図】  図３
2008173268.tif 000002
【特許請求の範囲】
【請求項１】
ベース片と、このベース片の一端から起立する軸受片とからなるホルダ本体と、
上記軸受片に回動可能に取り付けられる上部軸部と、ペーパーロールが着脱可能に取り付けられる下部軸部とを有する略Ｕ字状の軸部材と、
上記上部軸部に回動自在に枢着されると共に、ばね部材によって上記ペーパーロール側に向かって弾性力が付勢されるペーパーカッタと、を具備し、
上記軸受片は、上記上部軸部を回動可能に嵌挿する軸受け部と、上記下部軸部を係脱可能に係合する係合段部とを具備し、
上記ペーパーカッタは、上記上部軸部を嵌挿する筒状部と、上記ペーパーロールの側面に当接すると共に、ペーパーを切断するカット部とを具備してなる、ことを特徴とするペーパーホルダ。
【請求項２】
請求項１記載のペーパーホルダにおいて、
上記ばね部材は、ペーパーカッタの筒状部の端部に設けられた拡径開口部に収容されるコイル状ばねにて形成され、一端が軸受け部に係合され、他端が上記筒状部に係合される、ことを特徴とするペーパーホルダ。
【請求項３】
請求項１又は２記載のペーパーホルダにおいて、
上記軸部材の上部軸部は、合成樹脂製のカラー部材を介在して軸受け部に嵌挿される、ことを特徴とするペーパーホルダ。
【請求項４】
請求項１ないし３のいずれかに記載のペーパーホルダにおいて、
上記ホルダ本体のベース片を、略Ｕ字状の縦可動式手摺の下部水平部における上部水平部と対向する面に取り付けると共に、上記軸受片を、上記手摺の基端側に配置してなる、ことを特徴とするペーパーホルダ。
【請求項５】
請求項４記載のペーパーホルダにおいて、
上記ベース片に連結して上記手摺の下部水平部を狭持する狭持部材と、
上記狭持部材に設けられたねじ孔に螺合され、先端が上記下部水平部を押圧する固定ねじを更に具備する、ことを特徴とするペーパーホルダ。
【発明の詳細な説明】
【技術分野】
【０００１】
この発明は例えばトイレットペーパーのペーパーホルダに関するもので、例えばトイレブース内に設置される可動式手摺に取り付けられるペーパーホルダに関するものである。
【背景技術】
【０００２】
一般に、公共施設や民間施設のトイレブースにおいては、身障者や高齢者の使用に配慮して大多数の使用者が使用できるようにトイレブース内に可動式の補助手摺が設けられている。
【０００３】
一般に、トイレで使用される可動式の補助手摺はＵ字管にて形成されており、オプションとしてペーパーホルダが装着されている。例えば、手摺の下部管に、固定金具を介してペーパーホルダを取り付けると共に、ばね力によって常にトイレットペーパーをペーパーカッタが押さえるように力を加える構造のものが知られている（例えば、特許文献１参照）。
【特許文献１】特開２００２−２３８８０６号公報（特許請求の範囲、段落番号００１９，００２１、図２、図８）
【発明の開示】
【発明が解決しようとする課題】
【０００４】
しかしながら、特開２００２−２３８８０６号公報に記載のペーパーホルダは、固定金具に固定され、ブッシュ及びボルトを介して下部管に固定され、ボルトを通すボルト穴を隠すためのキャップが下部管に取り付けられる構造であるので、部品数が多くなると共に、組み付けに手間がかかるという問題があった。また、ペーパーカッタの回転支点がペーパーロールの中心から離れた位置にあるため、トイレットペーパーが少なくなりペーパーロールの外径が小さくなった際に、ペーパーカッタの先端がペーパーロールの側面から離れてしまうのでペーパーが切りづらくなるという問題があった。
【０００５】
この発明は、上記事情に鑑みてなされたもので、構成部材を少なくすると共に、ペーパーの切断を常に容易に行うことができ、かつ、美感の向上を図ることができるようにしたペーパーホルダを提供することを課題とするものである。
【課題を解決するための手段】
【０００６】
上記課題を解決するために、この発明のペーパーホルダは、ベース片と、このベース片の一端から起立する軸受片とからなるホルダ本体と、  上記軸受片に回動可能に取り付けられる上部軸部と、ペーパーロールが着脱可能に取り付けられる下部軸部とを有する略Ｕ字状の軸部材と、  上記上部軸部に回動自在に枢着されると共に、ばね部材によって上記ペーパーロール側に向かって弾性力が付勢されるペーパーカッタと、を具備し、  上記軸受片は、上記上部軸部を回動可能に嵌挿する軸受け部と、上記下部軸部を係脱可能に係合する係合段部とを具備し、  上記ペーパーカッタは、上記上部軸部を嵌挿する筒状部と、上記ペーパーロールの側面に当接すると共に、ペーパーを切断するカット部とを具備してなる、ことを特徴とする（請求項１）。
【０００７】
このように構成することにより、上部軸部をペーパーカッタを枢着してばね部材を介して軸受け部に回動可能に嵌挿し、下部軸部をペーパーロールを装着して軸受片の係合段部に係合することで、ペーパーカッタをばね部材の弾性力を付勢した状態でペーパーロールの側面に押圧することができると共に、ペーパーロールの側面に当接するカット部によってペーパーを切断可能にすることができる。
【０００８】
また、この発明において、上記ばね部材は、ペーパーカッタの筒状部の端部に設けられた拡径開口部に収容されるコイル状ばねにて形成され、一端が軸受け部に係合され、他端が上記筒状部に係合される方が好ましい（請求項２）。
【０００９】
このように構成することにより、コイル状ばねを露出することなくペーパーカッタに弾性力を付勢することができる。
【００１０】
また、この発明において、上記軸部材の上部軸部は、合成樹脂製のカラー部材を介在して軸受け部に嵌挿される方が好ましい（請求項３）。
【００１１】
このように構成することにより、上部軸部と軸受け部との接触部の摩擦力を小さくすることができる。
【００１２】
また、この発明において、上記ホルダ本体のベース片を、略Ｕ字状の縦可動式手摺の下部水平部における上部水平部と対向する面に取り付けると共に、上記軸受片を、上記手摺の基端側に配置してなる方が好ましい（請求項４）。
【００１３】
このように構成することにより、手摺の下部水平部における上部水平部と対向する面にホルダ本体のベース片を取り付けることで、手摺の上部水平部を有効に使用することができる。また、軸受片を手摺の基端側に配置することで、手摺を跳ね上げた際にペーパーロールを支持することができる。
【００１４】
また、この発明において、上記ベース片に連結して上記手摺の下部水平部を狭持する狭持部材と、  上記狭持部材に設けられたねじ孔に螺合され、先端が上記下部水平部を押圧する固定ねじを更に具備する方が好ましい（請求項５）。
【００１５】
このように構成することにより、手摺の下部水平部をベース片と、ベース片に連結される狭持部材とで狭持すると共に、狭持部材に設けられたねじ孔に固定ねじを螺合して固定ねじの先端を下部水平部の下面に押圧することで、ペーパーホルダを手摺に取り付けることができる。
【発明の効果】
【００１６】
この発明のペーパーホルダは、上記のように構成されているので、以下のような効果が得られる。
【００１７】
（１）請求項１記載の発明によれば、上部軸部をペーパーカッタを枢着してばね部材を介して軸受け部に回動可能に嵌挿し、下部軸部をペーパーロールを装着して軸受片の係合段部に係合することで、ペーパーカッタをばね部材の弾性力を常に付勢した状態でペーパーロールの側面に押圧することができるので、ペーパーロールの不用意な回転やずれを防止することができる。また、ペーパー量（径）に関係なく、ペーパーカッタに弾性力を付勢することでペーパーロールの側面に当接するカット部によって片手で容易にペーパーを切断することができる。
【００１８】
（２）請求項２記載の発明によれば、コイル状ばねを露出することなくペーパーカッタに弾性力を付勢することができるので、上記（１）に加えて、更に、ペーパーホルダへの塵埃等の付着を抑制することができると共に、美感の向上を図ることができる。
【００１９】
（３）請求項３記載の発明によれば、上部軸部と軸受け部との間に合成樹脂製のカラー部材を介在することで、上部軸部と軸受け部との接触部の摩擦力を小さくすることができるので、上記（１），（２）に加えて、更に、一般に金属製部材にて形成される上部軸部と軸受け部との金属同士の接触音を解消することができ、上部軸部をスムーズに回動することができる。
【００２０】
（４）請求項４記載の発明によれば、手摺の下部水平部における上部水平部と対向する面にホルダ本体のベース片を取り付けることで、手摺の上部水平部を有効に使用することができるので、使用者が手摺につかまりやすくなる。また、軸受片を手摺の基端側に配置することで、手摺を跳ね上げた際にペーパーロールを支持することができるので、上記（１）〜（３）に加えて、更に、ペーパーロールのずれ及び脱落を防止することができる。
【００２１】
（５）請求項５記載の発明によれば、手摺の下部水平部をベース片と、ベース片に連結される狭持部材とで狭持すると共に、狭持部材に設けられたねじ孔に固定ねじを螺合して固定ねじの先端を下部水平部の下面に押圧することで、ペーパーホルダを手摺に取り付けることができるので、上記（４）に加えて、更に、ペーパーホルダを既存の手摺に後付けすることができ、かつ、ペーパーホルダの取付位置を容易に変更することができる。
【発明を実施するための最良の形態】
【００２２】
以下に、この発明の最良の実施形態を添付図面に基づいて詳細に説明する。ここでは、この発明に係るペーパーホルダをトイレ等に設置される縦可動式手摺に取り付けた場合について説明する。
【００２３】
＜第１実施形態＞
図１は、この発明に係るペーパーホルダを縦可動式手摺に取り付けた状態を示す概略斜視図、図２は、この発明に係るペーパーホルダを縦可動式手摺に取り付けた場合の手摺の使用状態（水平状態）を示す側面図（ａ）及び手摺の不使用状態（起立状態）を示す側面図（ｂ）、図３は、この発明に係るペーパーホルダを示す斜視図、図４は、図３のＩ−Ｉ線に沿う拡大断面図、図５は、この発明に係るペーパーホルダの分解斜視図である。
【００２４】
上記縦可動式手摺１（以下に手摺１という）は、図１及び図２に示すように、トイレブースの壁面に取り付けられる取付具１０と、この取付具１０に図示しない回動機構を介して回動可能（起倒可能）に取り付けられる手摺体１１とで主に構成されている。
【００２５】
上記手摺体１１は、上部水平部１２と下部水平部１３とを有する略Ｕ字状のパイプ材にて形成されており、下部水平部１３における上部水平部１２と対向する面に上記ペーパーホルダ２が装着される。
【００２６】
このように構成される手摺１は、水平にした状態で使用することができ、不使用時には上方へ跳ね上げて起立した状態にすることができる。
【００２７】
上記ペーパーホルダ２は、図３及び図５に示すように、ベース片３０と、このベース片３０の一端から起立する軸受片３１とからなるホルダ本体３と、軸受片３１に回動可能に取り付けられる上部軸部４１と、ペーパーロール７が着脱可能に取り付けられる下部軸部４２とを有する略Ｕ字状の軸部材４と、上部軸部４１に回動自在に枢着されると共に、ばね部材６によってペーパーロール７側に向かって弾性力が付勢されるペーパーカッタ５とで主に構成されている。
【００２８】
上記ホルダ本体３は、図３及び図５に示すように、ペーパーホルダ２を手摺１に取り付けるためのベース片３０と、ベース片３０の一端から起立する軸受片３１とを有しており、例えばアルミダイキャスト製部材にて形成されている。
【００２９】
上記ベース片３０は、図２ないし図５に示すように、手摺１の下部水平部１３の断面形状に沿うように断面略円弧状に形成されており、貫通する２つの取付孔３０ａに取付ねじ８０を介して下部水平部１３に固定される。
【００３０】
上記軸受片３１は、図３及び図５に示すように、ベース片３０の一端から起立した先端側に、軸部材４の上部軸部４１を回動可能に嵌挿する軸受け部３２が設けられており、略中間部には、軸部材４の下部軸部４２を係脱可能に係合する係合段部３３が設けられている。
【００３１】
この場合、上記軸受け部３２には、上部軸部４１を嵌挿する軸受け孔３２ａが設けられており、この軸受け孔３２ａの周縁に上記ばね部材６の一端が係合可能なばね係合孔３２ｂが設けられている。なお、軸受け部３２の側面（この場合軸受片３１の上端）には、軸受け孔３２ａに直交して貫通する係止孔３２ｃが穿設されており、この係止孔３２ｃに螺合される係止ねじ８１の先端が上部軸部４１の後述する係止溝４１ａと係合することによって軸受け部３２と軸部材４とが回動可能に連結されている（図３及び図５参照）。
【００３２】
一方、上記係合段部３３は、図３及び図５に示すように、軸受片３１の略中間部に軸受片３１と平行に突設し、上方に開口する凹溝３３ａを有し、この凹溝３３ａを形成する一対の片部３３ｂの一方すなわち軸部材４の下部軸部４２を導入する側の片部３３ｂが低く形成されている。また、係合段部３３の下方には、手摺１を起立状態にした際にペーパーロール７を支持するための支持片３４が延設されている。
【００３３】
上記軸部材４は、軸受け孔３２ａに回動可能に取り付けられると共に、上記ペーパーカッタ５を枢着する上部軸部４１と、ペーパーロール７が着脱可能に取り付けられると共に、先端が係合段部３３に係脱可能な下部軸部４２とで略Ｕ字状に形成されている。この軸部材４は、例えばステンレス製部材にて形成されている。また、上部軸部４１の先端部には、軸受け部３２に設けられた係止孔３２ｃを介して係止ねじ８１の先端が係合可能な係止溝４１ａが周設されている。なお、上部軸部４１は先端部に合成樹脂製のカラー部材４０を介在して軸受け孔３２ａに嵌挿される。このように上部軸部４１と軸受け孔３ａとの間に、合成樹脂製のカラー部材４０を介在することにより、軸部材４の回動をスムーズにすると共に、金属部材同士の摩擦音の発生を抑えることができる。
【００３４】
上記ペーパーカッタ５は、図３ないし図６に示すように、上部軸部４１を嵌挿する筒状部５１と、ペーパーロール７の側面に当接すると共に、ペーパー７０を切断するカット部５２とで形成されている。この場合、ペーパーカッタ５は、例えばアルミニウム合金製の押出形材にて一体に形成されている。
【００３５】
上記筒状部５１は、図３ないし図６に示すように、内面に複数（この場合３つ）の凸条５１ａを設け、この複数の凸条５１ａの先端面が上部軸部４１に枢着されている。また、筒状部５１の一端すなわちホルダ本体３の軸受片３１側には、拡径開口部５１ｂが形成されている。
【００３６】
上記カット部５２は、筒状部５１の側面から延在し、先端が下部軸部４２に向かって断面略円弧状に形成されており、ペーパーロール７を装着した際に先端がペーパーロール７の側面に常に当接するように形成されている。
【００３７】
上記ばね部材６は、図３ないし図６に示すように、ペーパーカッタ５の筒状部５１の端部に設けられた拡径開口部５１ｂに収容されるコイル状ばねにて形成されており、一端が軸受け部３２のばね係合孔３２ｂに係合され、他端が筒状部５１の凸条５１ａに係合される。
【００３８】
このようにペーパーカッタ５とばね部材６を形成することにより、ペーパーカッタ５の拡径開口部５１ｂにばね部材６を収容した状態で軸受片３１に軸部材４を介して取り付けることができるので、ペーパーホルダ２への塵埃等の付着を抑制することができると共に、美感の向上を図ることができる。
【００３９】
次に、ペーパーホルダ２の組立手順及びペーパーロール７の装着手順を説明する。
【００４０】
まず、手摺１の下部水平部１３における上部水平部１２と対向する面に、ホルダ本体３のベース片３０を軸受片３１が手摺１の基端側に位置するように配置して取付ねじ８０によって固定する。次に、ばね部材６を捻って弾性力を持たせた状態でばね部材６の一端を軸受け部３２のばね係合孔３２ｂに係合し、他端をペーパーカッタ５の筒状部５１に形成された凸条５１ａに係合させてばね部材６のコイル部を拡径開口部５１ｂに収容する。この状態で、ペーパーカッタ５の筒状部５１内に軸部材４の上部軸部４１を貫通し、上部軸部４１の先端をカラー部材４０を介して軸受け孔３２ａに嵌挿する。そして、軸受け部３２の側面に設けられた係止孔３２ｃに係止ねじ８１を螺合させ、係止ねじ８１の先端を上部軸部４１の係止溝４１ａに係合させることで、ペーパーカッタ５に弾性力を付勢した状態でペーパーカッタ５をホルダ本体３に取り付けることができる。
【００４１】
次に、ペーパーロール７をペーパーホルダ２に装着するには、まず、ペーパーカッタ５がばね部材６の弾性力によって下部軸部４２に当接しているので、弾性力に抗してペーパーカッタ５を下部軸部４２から離れた位置に回動させておく。この状態で、ホルダ本体３に回動可能に取り付けられた軸部材４の下部軸部４２に、下部軸部４２を嵌挿し筒部がペーパーロール７の芯材７１の内面に当接する補助軸７２を介在してペーパーロール７を装着する。そして、軸部材４を回動させると共に弾性変形させて、下部軸部４２の先端を係合段部３３の係止溝４１ａ内に係合させることでペーパーロール７をペーパーホルダ２に装着することができる。
【００４２】
なお、上記説明においては、ペーパーロール７に芯材７１がある場合について説明したが、芯材７１のない形状のものもあるので、芯材７１がないペーパーロール７を下部軸部４２に装着する場合には、補助軸７２を用いないで、ペーパーロール７を下部軸部４２に装着する。
【００４３】
また、上記説明においては、ホルダ本体３を手摺１に取り付けてからペーパーホルダ２を組み立てた場合について説明したが、ペーパーホルダ２を組み立てた後に手摺１に取り付けてもよい。
【００４４】
このようにペーパーホルダ２を形成することにより、ペーパーカッタ５をばね部材６の弾性力を常に付勢した状態でペーパーロール７の側面に押圧することができるので、ペーパーロール７の不用意な回転やずれを防止することができると共に、手摺１を起立させた状態においてペーパーの垂れ下がりを防止することができ、かつ、ペーパーロール７の側面に当接するカット部５２によって片手で容易にペーパー７０を切断することができる。また、ペーパーカッタ５のカット部５２をカット部５２の先端が下部軸部４２に向かった形状に形成することにより、ペーパー７０が少なくなりペーパーロール７の外径が小さくなっても、ペーパーカッタ５のカット部５２の先端がペーパーロール７の中心に向かって移動しペーパーロール７の側面に当接するので、ペーパーロール７の外径が小さくなってもペーパー７０を容易に切断することができる。
【００４５】
また、手摺１の下部水平部１３における上部水平部１２と対向する面にホルダ本体３のベース片３０を取り付けることで、手摺１の上部水平部１２を有効に使用することができるので、使用者が手摺１につかまりやすくなる。また、軸受片３１を手摺１の基端側に配置することで、手摺１を跳ね上げた際にペーパーロール７を支持片３４によって支持することができるので、ペーパーロール７のずれ及び脱落を防止することができる。
【００４６】
＜第２実施形態＞
次に、この発明の第２実施形態を、図７を参照して説明する。図７は、この発明に係るペーパーホルダの第２実施形態の使用状態を示す斜視図である。
【００４７】
第２実施形態は、ペーパーホルダ２において軸受け部３２Ａに軸受け筒部３５を設け、この軸受け筒部３５の端部に、コイル状ばねにて形成されるばね部材６Ａの一端を係合し、ばね部材６Ａの他端をペーパーカッタ５の端部に取り付けられたキャップ５３に係合させた場合である。また、係合段部３３Ａを軸受片３１Ａの略中間部に設けられた切欠き３６によって形成する場合である。
【００４８】
第２実施形態において、軸受片３１Ａは、図７に示すように、軸受片３１Ａの先端部に設けられる軸受け部３２Ａに、軸部材４の上部軸部４１が回動可能に嵌挿される筒状に形成された軸受け筒部３５を設け、この軸受け筒部３５の端部にばね部材６Ａの一端を係合可能な係合溝（図示せず）が形成されている。
【００４９】
また、軸受片３１Ａの略中間部には、側辺すなわち軸部材４の下部軸部４２を導入する側の辺に開口を有する切欠き３６にて形成される係合段部３３Ａが形成されている。この係合段部３３Ａは、切欠き３６の開口より切欠き３６の底部が低い位置に形成されている。このように開口より底部を低い位置に形成することにより、下部軸部４２を係脱可能に係合することができる。
【００５０】
上記ばね部材６Ａは、ペーパーカッタ５の筒状部５１内に収容されており、一端が軸受け筒部３５の係合溝（図示せず）に係合し、他端がペーパーカッタ５の端部に取り付けられるキャップ５３に係合されている。
【００５１】
なお、軸受け筒部３５の基端部には、軸受け筒部３５に直交して貫通する図示しない係止孔が穿設されており、この係止孔（図示せず）に螺合された係止ねじ（図示せず）の先端が上部軸部４１の係止溝４１ａと係合することによって軸受け部３２Ａと軸部材４とを回動可能に連結することができる。
【００５２】
なお、第２実施形態において、その他の部分は第１実施形態と同じであるので、同一部分には同一の符号を付して説明は省略する。
【００５３】
＜第３実施形態＞
次に、この発明の第３実施形態を、図８及び図９を参照して説明する。図８は、この発明に係るペーパーホルダの第３実施形態の使用状態を示す斜視図、図９は、この発明に係るペーパーホルダの第３実施形態の使用状態を示す側面図（ａ）及び（ａ）のII−II線に沿う断面図（ｂ）である。
【００５４】
第３実施形態は、既設の手摺１にペーパーホルダ２を後付け可能にした場合である。すなわち、ペーパーホルダ２においてホルダ本体３Aのベース片３０Ａに狭持部材３７を連結して、手摺１の下部水平部１３をベース片３０Ａと狭持部材３７とで狭持して、ペーパーホルダ２を取り付けるようにした場合である。
【００５５】
この場合、上記ベース片３０Ａは、図８及び図９に示すように、手摺１の下部水平部１３の上面を覆うように断面略半円状に形成され、両辺を内方に向かって折曲し対峙する係止受け部３８が形成されている。また、ベース片３０Ａの内面における最頂部には、手摺１の外周に当接可能な断面円弧状の当接部３９が形成されている。このように当接部３９を形成することにより、手摺１の下部水平部１３の断面形状が正円又は楕円であっても確実に当接して狭持することができる。
【００５６】
上記狭持部材３７は、図８及び図９に示すように、手摺１の下部水平部１３の下面を覆う断面略半円状の基部３７ａと、基部３７ａの両辺から外方に向かって折曲しベース片３０Ａの係止受け部３８に係合可能な係止爪３７ｂとを具備している。
【００５７】
また、上記基部３７ａの最頂部には複数（この場合３つ）のねじ孔３７ｃが適宜間隔をおいて穿設されており、このねじ孔３７ｃに例えば六角孔ねじ等の固定ねじ８２が螺合可能に形成されている。
【００５８】
このようにベース片３０Ａと狭持部材３７を形成することにより、手摺１の下部水平部１３の上面にベース片３０Ａを載置させた状態で、下部水平部１３の下面に狭持部材３７を覆うと共に、狭持部材３７の両係止爪３７ｂをベース片３０の両係止受け部３８に係合させて連結し、そして、ねじ孔３７ｃに固定ねじ８２を螺合させ、固定ねじ８２の先端で手摺１の下部水平部１３の下面を押圧することにより、狭持部材３７に連結されたベース片３０Ａが反力により下部水平部１３の上面に押圧されるので、手摺１が狭持されホルダ本体３を手摺１に固定することができる。
【００５９】
なお、この場合、ベース片３０Ａと狭持部材３７とは、ベース片３０Ａを下部水平部１３に載置し、ベース片３０Ａの一方の係止受け部３８に、狭持部材３７の一方の係止爪３７ｂを係合させた状態で、狭持部材３７を下部水平部１３の下面を覆うように回転させ、狭持部材３７を弾性変形させて狭持部材３７の他方の係止爪３７ｂをベース片３０Ａの内部に圧入すると共に、係止受け部３８に係合することで連結することができる。また、ベース片３０Ａを下部水平部１３に載置し、ベース片３０Ａの両係止受け部３８に狭持部材３７の両係止爪３７ｂを係合させた状態で、狭持部材３７を下部水平部１３に沿ってベース片３０Ａ内にスライドさせて、ベース片３０Ａと狭持部材３７を連結するようにしてもよい。
【００６０】
なお、第３実施形態において、その他の部分は第１実施形態と同じであるので、同一部分には同一の符号を付して説明は省略する。
【００６１】
＜その他の実施形態＞
なお、上記第１、第２及び第３実施形態では、縦可動式手摺１に取り付けられるペーパーホルダ２について説明したが、縦可動式手摺１以外に適用することも可能であり、取り付ける以外に自立したペーパーホルダ２として使用することも可能である。
【００６２】
例えば、図１０に示すように、壁面に取り付けられるベース片３０Ｂと、このベース片３０Ｂの一端から起立してＬ字状に形成される軸受片３１Ｂとでホルダ本体３Ｂを形成することにより、ペーパーホルダ２をトイレブースの壁面に直接取り付けることができる。
【００６３】
また、図１１に示すように、ホルダ本体３Ｃのベース片３０Ｃをプレート状に形成することにより、テーブル等の上に自立した状態でペーパーホルダ２を載置式とすることができる。なお、この場合、軸受片３１を長く形成してベース片３０Ｃから起立することにより、スタンド式のペーパーホルダとすることもできる。
【図面の簡単な説明】
【００６４】
【図１】この発明に係るペーパーホルダを縦可動式手摺に取り付けた状態を示す概略斜視図である。
【図２】この発明に係るペーパーホルダを縦可動式手摺に取り付けた場合の手摺の使用状態（水平状態）を示す側面図（ａ）及び、手摺の不使用状態（起立状態）を示す側面図（ｂ）である。
【図３】この発明に係るペーパーホルダを示す斜視図である。
【図４】図３のＩ−Ｉ線に沿う拡大断面図である。
【図５】この発明に係るペーパーホルダの分解斜視図である。
【図６】この発明におけるペーパーカッタ及び第１実施形態におけるねじ部材を示す斜視図である。
【図７】この発明に係るペーパーホルダの第２実施形態を示す斜視図である。
【図８】この発明に係るペーパーホルダの第３実施形態を示す斜視図である。
【図９】この発明に係るペーパーホルダの第３実施形態を示す側面図（ａ）、及び（ａ）のII−II線に沿う断面図（ｂ）である。
【図１０】この発明に係るペーパーホルダのその他の実施形態を示す斜視図である。
【図１１】この発明に係るペーパーホルダのその他の実施形態を示す斜視図である。
【符号の説明】
【００６５】
１  縦可動式手摺
３，３Ａ，３Ｂ  ホルダ本体
４  軸部材
５  ペーパーカッタ
６，６Ａ  ばね部材
７  ペーパーロール
１２  上部水平部
１３  下部水平部
３０,３０Ａ，３０Ｂ,３０Ｃ  ベース片
３１，３１Ａ，３１Ｂ  軸受片
３３，３３Ａ  係合段部
３７  狭持部材
３７ｃ  ねじ孔
４０  カラー部材
４１  上部軸部
４２  下部軸部
５１  筒状部
５１ｂ  拡径開口部
５２  カット部
７０  ペーパー
８２  固定ねじ
【図１】
2008173268.tif 000003
【図２】
2008173268.tif 000004
【図３】
2008173268.tif 000005
【図４】
2008173268.tif 000006
【図５】
2008173268.tif 000007
【図６】
2008173268.tif 000008
【図７】
2008173268.tif 000009
【図８】
2008173268.tif 000010
【図９】
2008173268.tif 000011
【図１０】
2008173268.tif 000012
【図１１】
2008173268.tif 000013